(57)【要約】【課題】本発明の課題は、消火をする際の使用者の動作に適した消火用バケツを提供することにある。【解決手段】消火用の液体を収納するために、少なくとも上部を構成する天井部と側面を構成する側面部とを有する本体部と、前記本体部の側面部に接続し、当該本体部を支えるための第１取手部と、前記本体部の天井部に配置され、当該本体部を支えるための第２取手部と、を具備し、前記第１取手部は、前記本体部に対し長手方向に沿うように配置し、前記第２取手部は、前記本体部に対し短手方向に沿うように配置し、正面視奥行き側から手前側に回動可能に支持した消火用バケツである。【選択図】            図１
2017213155.tif 000002
【特許請求の範囲】
【請求項１】
消火用の液体を収納するために、少なくとも上部を構成する天井部と側面を構成する側面部とを有する本体部と、
前記本体部の側面部に接続し、当該本体部を支えるための第１取手部と、
前記本体部の天井部に配置され、当該本体部を支えるための第２取手部と、を具備し、前記第１取手部は、前記本体部に対し長手方向沿うように配置し、
前記第２取手部は、前記本体部に対し短手方向に沿うように配置し、正面視奥行き側から手前側に回動可能に支持した消火用バケツ。
【請求項２】
前記天井部に、当該天井部から上方に突出した基部と、を設け、前記基部に、回転可能に軸部を配置し、前記軸部と、前記第２取手部とを回動可能に配置した請求項１記載の消火用バケツ。
【請求項３】
前記基部に、前記第２取手部の回動を制限するストッパー部と、を備えた請求項２記載の消火用バケツ。
【請求項４】
前記本体部の天井部に液体を排出するための開口部と、を有し、前記開口部に複数の穴を配置した蓋部とを有する請求項１から３いずれか１項記載の消火用バケツ。
【発明の詳細な説明】
【技術分野】
【０００１】
本発明は、消火用バケツに関するものである。
【背景技術】
【０００２】
従来は、火災の初期の状態において、消火活動をする際は、バケツに水を入れ火元に向けてその水をまくなどの処置を施していた。しかしながら、その従来のバケツでは、収容した水を１度ですべて放出してしまうために、反復して消火活動をするためには、複数回そのバケツに水を汲む必要があった。
【０００３】
このような問題を解決するものとして、実開昭５０−１３８８９６号公報において消火バケツが開示されている。この消火バケツは、中に入れられた水を複数回にわたって火元へ放出することができるというものである。しかしながら、なるべく多くの水を収納できるようにその内部の容量を大きくすると、水の容量が増すことになり、その重量がかさみその消火バケツを持ちつつ、火元へ水を放出することが困難となる。特に女性や高齢者には初期消火が困難となる場合がある。
【０００４】
また、上述の消火バケツは、その消火バケツを保持する部分が配置されているものの消火をする際の使用者の動作に適したものでなく、その使用者の腕等の関節の動きに無理が生じ、適切な消火作業を行いにくいという問題が生じている。
【先行技術文献】
【特許文献】
【０００５】
【特許文献１】実開昭５０−１３８８９６号公報
【発明の開示】
【発明が解決しようとする課題】
【０００６】
本発明は前記の点に着目してなされたもので、その課題は、消火をする際の使用者の動作に適した消火用バケツを提供することである。
【課題を解決するための手段】
【０００７】
第１観点における消火用バケツは、消火用の液体を収納するために、すくなくとも上部を構成する天井部と側面を構成する側面部とを有する本体部と、本体部の側面部に接続し、当該本体部を支えるための第１取手部と、本体部の天井部に配置され、当該本体部を支えるための第２取手部と、を具備し、第１取手部は、本体部に対し長手方向に沿うように配置し、第２取手部は、本体部に対し短手方向に沿うように配置し、正面視奥行き側から手前側に回動可能に支持したというものである。
【０００８】
第２観点における消火用バケツは、第１観点において、その天井部に、当該天井部から上方に突出した基部と、を設け、その基部に、回転可能に軸部を配置し、その軸部と、第２取手部とを回動可能に配置したというものである。
【０００９】
第３観点における消火用バケツは、第１観点または第２観点において、その基部に、第２取手部の回動を制限するストッパー部と、を備えたというものである。
【００１０】
第４観点における消火用バケツは、第１観点から第３観点において、その本体部の天井部に液体を排出するための開口部と、を有し、前記開口部に複数の穴を配置した蓋部とを有するというものである。
【発明の効果】
【００１１】
本発明によれば、消火をする際の使用者の動作に適した消火用バケツを提供することができる。
【図面の簡単な説明】
【００１２】
【図１】消火用バケツの斜視図
【図２】消火用バケツ正面図
【図３】消火用バケツ側面図
【図４】消火用バケツ背面図
【図５】消火用バケツ平面図
【図６】消火用バケツ底面図
【図７】図５におけるＡ−Ａ線断面図
【図８】第２取手部が屹立した状態の消火用バケツの斜視図
【図９】キャップ部を取り付けた状態の消火用バケツの斜視図
【図１０】消火用バケツ使用状態図
【発明を実施するための形態】
【００１３】
実施例における消火用バケツ１０について説明をする。この消火用バケツ１０は、いわゆる初期消火に使用する三角バケツと呼ばれるものである。また、その消火用バケツ１０の本体部１１は、側面部１２と天井部１３と、を有するものであり、さらに底面部１５を有するものである。また、その内部１６は中空であり、水などの消火用の液体を収納することができる。さらに、上記側面部１２は、前面部１２１と、右側面部１２２と左側面部１２３と、を有し、右側面部１２２と左側面部１２３とのなす角度は、ほぼ角を丸めているものの、互いに鋭角になるように構成されている。また、その右側面部１２２と左側面部１２３とにおいて、さらに前面部１２１とを有することにより、平面視において、角を丸めたほぼ三角形状を呈している（図５参照）。さらに、右側面部１２２と左側面部１２３のそれぞれの上部は外方に張り出した構成である。
【００１４】
また、前面部１２１は、上下に第１前面上部１２１ａと第２前面下部１２１ｂとを有するものである。また、消火用バケツ１０の側面視において、第１前面上部１２１ａは、第２前面下部１２１ｂに対して厚く構成されている。すなわち第１前面上部１２１ａは、第２前面下部１２１ｂに対して外方に張り出した構成である（図３参照）。この点については、後述する。また、第２前面下部１２１ｂは、正面視において前面部１２１における高さのほぼ３分の１を占めている。
【００１５】
第１取手部２０は、立ち上がり部２１と、使用者ｍが握るための把持部２２とを有し、その立ち上がり部２１は、底面部１５に近い部分であって第２前面下部１２１ｂの正面視ほぼ中心の部分に接続し立ち上がるように構成される（図１、２参照）。また、その立ち上がり部２１は、把持部２２となだらかに接続し、その把持部２２は上述の第１前面上部１２１ａと、ほぼ面一となるように接続されている（図３参照）。
【００１６】
また、上述の第１前面上部１２１ａは、第２前面下部１２１ｂに対して外方に張り出した構成（図３参照）は言い換えれば、第１取手部２０における立ち上がり部２１は、図３において右方向へ、立ち上がった状態であるが、その立ち上がった長さに応じて第１前面上部１２１ａに対して第２前面下部１２１ｂを内方（すなわち図３における左方向）に配置するということであり、また、把持部２２は、第２前面下部１２１ｂをまたぐように配置されているために（図２参照）、使用者ｍの右手Ｒを、その第１取手部２０を握る際にその取手内部１２４に入りこむようにすることができる。また把持部２２は、第２前面下部１２１ｂのほぼ中心から上方に、すなわち前面部１２１の長手方向Ｖに沿うように配置されているので、後述するように、使用者ｍが握り易く、放水するためのスイングがし易い構成である。
【００１７】
また、天井部１３は、消火用バケツの上部を構成するものであり、その天井部１３は、肩部１３ａ、１３ａとその間に配置された凹部１３ｂと第２凹部１３ｃとを有するものである。肩部１３ａ、１３ａは、天井部１３において正面視両端部に配置され盛り上がった凸状を呈している。また、凹部１３ｂと第２凹部１３ｃとは、肩部１３ａ、１３ａの間に配置され、さらに凹部１３ｂと第２凹部１３ｃとは前後に配置されている。すなわち、正面視中央の、奥行き側すなわち後方に凹部１３ｂが配置され、その前方すなわち手前側に第２凹部１３ｃが配置されている（図２参照）。この凹部１３ｂと第２凹部１３ｃとは、底面部１５からの高さにおいて、凹部１３ｂの位置を、第２凹部１３ｃの位置に比べ高い位置に配置している。すなわち、肩部１３ａと、凹部１３ｂと、第２凹部１３ｃと、をこれらの順に高い位置から低い位置に配置するように構成されている。また、凹部１３ｂから第２凹部１３ｃにかけて、滑らかに接続され、この第２凹部１３ｃは、さらに、図面左側に向かって、徐々に、比較的高い位置から、なだらかに下降し、第１前面上部１２１ａと滑らかに接続されている（図７参照）。
【００１８】
また、凹部１３ｂには、ほぼ円形の開口部１４が配置され（図７参照）、消火用の液体例えば水等を出し入れすることができる。また開口部１４には、その開口部１４を覆うようにほぼ円形の蓋部２５が配置されている。この蓋部２５の内部には、雌ねじ部２５ａを配置しているために開口部１４に設けた雄ねじ部１４ａと、ねじ止めすることができる（図７参照）。
【００１９】
また、蓋部２５には、第１蓋開口部２６と、この第１蓋開口部２６の周りに複数の第２蓋開口部２７と、その間の蓋壁部２８と、を有するものである。本実施例においては、中心に第１蓋開口部２６を配置し、それを取り囲むようにほぼ円状に第２蓋開口部２７を６個配置する。また、それら開口部の径は異なるものの、共に家庭用のホースを挿入することができる大きさであれば好ましい。具体的には、第１蓋開口部２６の直径は２６ミリメートル、第２蓋開口部２７の直径は２４ミリメートルが好ましい。また、第１蓋開口部２６および第２蓋開口部２７に、使用者ｍの指を差し入れて蓋部２５を回して外すことができる（図示せず）。従って、女性や高齢者であっても容易に、蓋部２５を開口部１４に取り付けたり取り外したりすることができる。また、蓋壁部２８については後述する。
【００２０】
また、平面視において、短手方向Ｈの中央かつ、凹部１３ｂと第２凹部１３ｃとの境界付近に、基部３０は、配置されている。基部３０は、第２凹部１３ｃにおける上述の比較的高い位置において上方に突出するように配置され、後述する第２取手部４０を回動可能に軸支するための孔部３０ａを有している。
【００２１】
第２取手部４０は、使用者ｍが握るための第２把持部４１と軸受け部４２とを有し、軸受け部４２には軸受用の軸受け孔４３を有し、後述する軸部５０を取り付けることができる。すでに述べたように、基部３０には、孔部３０ａを配置しているために、基部３０における孔部３０ａと、軸受け部４２には軸受用の軸受け孔４３とを一致させるように配置して、それらの孔部３０ａと軸受け孔４３とにおいて、軸部５０が挿入されている。これにより、第２取手部４０は、正面視奥行き側から手前側に、すなわちほぼ屹立した状態から水平の状態に、さらにいえば、凹部１３ｂから第２凹部１３ｃに近接するように回動することができる。また、いうまでの無くその逆も可能である（図１、図８参照）。また、上述の第２把持部４１は、環状を呈し、第２凹部１３ｃの方に回動した場合に、前面部１２１に沿うように、すなわち短手方向Ｈに倣うように配置されている（図５参照）。
【００２２】
なお、軸部５０においては、抜け止め部５１を配置している。この抜け止め部５１は、径が太く、基部３０における孔部３０ａと、軸受け部４２における軸受け孔４３とにおいて、軸部５０を挿入したときに変形し、挿入後はこの変形した抜け止め５１が復元することによって、文字通り軸部５０が、上記孔部３０ａと、軸受け孔４３と、から抜け出ることを阻止することができるというものである。
【００２３】
また、上述のとおり、凹部１３ｂと、第２凹部１３ｃと、を対比すると底面部１５からの高さが凹部１３ｂよりも第２凹部１３ｃの高さを低く設定している。したがって、第２取手部４０を、第２凹部１３ｃ側に回動しても、基部５０は、凹部１３ｂよりに配置しているために、第２取手部４０における第２把持部４１を握った使用者ｍの左手Ｌの握り拳ＬＨが、第２凹部１３ｃと干渉しないように配置されている。このとき基部３０に、ストッパー３１が設けられているために、このストッパー３１と、第２把持部４１と軸受け部４２とが干渉して、それ以上下方にこの第２把持部４１が回動しないように配置されている。この場合のストッパー３１の位置は第２把持部４１が水平になるように配置するのが好ましい（図３参照）。
【００２４】
また、底面部１５においては、ほぼ中央に、円形の蓋対応部１５０を有し、消火用バケツ１０を上下に積みあげることができる。これは、図示しない消火用バケツ１０と同一形状を有する他の消火用バケツを下に配置し、消火用バケツ１０を上に配置する場合に、その消火用バケツ１０における底面部１５に上記蓋対応部１５０を有しているので、下に配置した消火用バケツの蓋部が、その上に積み上げられた消火用バケツ１０の蓋対応部１５０に位置し、その肩部が、その消火用バケツ１０における底面部１５を支える構成であるので、上記の通り消火用バケツ１０と図示しない消火用バケツとを上下に積みあげることができる。尚、この消火用バケツ１０は合成樹脂製が好ましく、ブロー成形または射出成形で製造することができる。尚、蓋部２５にかぶせるためのキャップ部２９をさらに具備することができる。これも合成樹脂製であり、弾性変形することによって蓋部２５と嵌合するように構成されている。このキャップ部２９により、上述の蓋部２５に配置した、第１蓋開口部２６および、複数の第２蓋開口部２７に、異物が入り込むことを防ぐことができる。これにより、中に入れた水を長期にわたって清潔に保つことができる（図９参照）。
【００２５】
上記構成の消火用バケツ１０に、消火用の液体として水を入れる。このとき蓋部２５には上述の通り第１蓋開口部２６と、その周りに複数の第２蓋開口部２７とを有するものである。従って、この第１蓋開口部２６または第２蓋開口部２７のいずれかに、図示しない水道用のホースを差しこむことにより、消化用バケツ１０に給水することができる。またこのときに水を入れる際に、その入れる水の量の目安とするための目印Ｘを配置する。この目印Ｘは、中の水の量を規定するもので、この量であれば、放水する際に消火用バケツ１０の内部において水の動きを良好にすることで、確実に放水することができるというものである。この目印Ｘは、満水量の八分目を規定するものが好ましい。この量であれば中の水の移動がスムーズで放水が良好だからである。尚、本実施例において、目印Ｘまで水を入れると８リットルの水を入れることができるが、これに限られないことは、いうまでもない。
【００２６】
このように、水を入れた消火用バケツ１０を手に持つ。具体的には、使用者ｍが右利きの場合に、右手Ｒで、第１取手部２０を握る。この場合、第１取手部２０における把持部２２は、長手方向Ｖに沿うように配置されているので使用者ｍの右手Ｒの握り拳ＲＨは、消火用バケツ１０の長手方向Ｖに倣うようになる。一方で、左手Ｌで第２取手部４０を握る。第２凹部１３ｃの方向に回動した場合に、その第２取手部４０は、短手方向Ｈに沿うように配置されているので、使用者ｍの左手Ｌの握り拳ＬＨは、消火用バケツ１０の短手方向Ｈに倣うようになる。
【００２７】
このように、使用者ｍの右手Ｒと左手Ｌを、共に順手で第１取手部２０と、第２取手部４０とを握ることができ、さらに握ったそれぞれの拳の向きについて、火元に対して先頭になる左手Ｌの拳ＬＨが、消火用バケツ１０の短手方向に倣うようになり、右手Ｒの拳ＲＨが、その消火用バケツ１０の長手方向に倣うようになるので、消化バケツ１０をスイングして放水する際の使用者ｍの両手の動きに無理が無く、スムーズに消火作業をすることができる。すなわち、図１０において、図面左から使用者ｍＡ、使用者ｍ、使用者ｍＢの順にスイングすなわち放水するための動作をする場合において、図面左側の使用者ｍＡの左手Ｌの拳ＬＨＡの角度が若干傾き、第２取手部４０Ａが傾いていたのが、使用者ｍＢの場合において、第２取手部４０Ｂが回動し、ストッパー３１に接することによって、その第２取手部４０Ｂの所定の位置（消火用バケツ１０を立てた状態において、第２取手部４０がストッパー３１によってほぼ水平に保持された位置、たとえば図３における第２取手部４０の位置。）に規定されるために、その使用者ｍＢの左手Ｌの拳ＬＨＢが、消火用バケツ１０に接することなく、さらに、無理な動きをすることがない。また、また、使用者ｍＡの右手Ｒの拳ＲＨＡの動き、および、使用者ｍの拳ＲＨの動き、さらには、使用者ｍＢの拳ＲＨＢについてもその動きに無理がないというものである。
【００２８】
このように、スイング動作を繰り返す行うことにより、水Ｗを複数回火元Ｆに向かって放出することができる。すなわち、蓋部２５に、第１蓋開口部２６と、その周りに複数の第２蓋開口部２７とを有しており、また、その間の蓋壁部２８が配置されているために、放出しようとする水が、その蓋壁部２８に衝突することで、一度の放水で内蔵された水をすべて放出することなく、従来の三角バケツ同様に複数回その水を放出することができる。これは、消火用バケツ１０の内部の構成を複雑化することなく、上述の蓋部２５の構成のみで達成することができる。
【００２９】
また、消火用バケツ１０に水を入れて重くなった場合であっても、上記の通り、使用者ｍの右手Ｒと左手Ｌ共に順手で第１取手部２０と、第２取手部４０と、を握っているので、確実に消火用バケツ１０を保持することができる。また、上記の通り、凹部１３ｂと、第２凹部１３ｃと、をこれらの順に高い位置から低い位置に配置されているために、第２取手部４０がストッパー３１によってほぼ水平に保持される場合において、第２取手部４０と第２凹部１３ｃとの間に、空所１００が出現するために、手を入れ易く、火災時においても、すばやくその消火用バケツ１０を使用して消火活動ができるというものである。
【符号の説明】
【００３０】
１０  消火用バケツ
１１  本体部
１２  側面部
１２１  前面部
１２１ａ  第１前面上部
１２１ｂ  第２前面下部
１２２  右側面部
１２３  左側面部
１３  天井部
１４  開口部
１５  底面部
１６  内部
２０  第１取手部
２１  立ち上がり部
２２  把持部
２５  蓋部
３０  基部
３１  ストッパー
４０  第２取手部
４１  第２把持部
４２  軸受け部
４３  軸受け孔
５０  軸部
５１  抜け止め部
【図１】
2017213155.tif 000003
【図２】
2017213155.tif 000004
【図３】
2017213155.tif 000005
【図４】
2017213155.tif 000006
【図５】
2017213155.tif 000007
【図６】
2017213155.tif 000008
【図７】
2017213155.tif 000009
【図８】
2017213155.tif 000010
【図９】
2017213155.tif 000011
【図１０】
2017213155.tif 000012